(57)【要約】【課題】紙葉類の繰り出し時における、多重繰り出しやペーパージャムが発生するのを抑制する。【解決手段】繰り出し装置１４は、紙幣搬送ベルトにより所定位置２００Ａまで搬送され、所定位置から落下してきた紙幣に対して、Ｙ軸方向の風を吹き付け、紙幣にフラッタ振動を生じさせることで、紙幣をＹ軸方向に沿って移動させる送風部９０と、所定位置から落下してきた紙幣を引き寄せるゴム羽根車７０と、ゴム羽根車７０により引き寄せられた紙幣のＹ軸方向の一端部（＋Ｙ端部）が突き当てられる前壁８２と、前壁８２に突き当てられた紙幣を一枚ずつ繰り出すピックローラ７２と、を備える。【選択図】図３
2016124704.tif 000002
【特許請求の範囲】
【請求項１】
搬送部により所定位置まで搬送され、該所定位置から落下してきた紙葉類に対して、水平面内の一軸方向の風を吹き付け、該紙葉類にフラッタ振動を生じさせることで、該紙葉類を前記一軸方向に沿って移動させる送風部と、
前記所定位置から落下してきた前記紙葉類を引き寄せる引き寄せ部と、
前記引き寄せ部により引き寄せられた前記紙葉類の前記一軸方向の一端部が突き当てられる壁部と、
前記壁部に突き当てられた前記紙葉類を一枚ずつ繰り出す繰り出し部と、
を備える紙葉類の繰り出し装置。
【請求項２】
前記紙葉類は、前記一軸方向に関する寸法が異なる複数種類の紙葉類を含むことを特徴とする請求項１に記載の紙葉類の繰り出し装置。
【請求項３】
前記紙葉類の剛性に関する値に基づいて、前記送風部から吹き付けられる風の速度を可変制御する制御部を更に備える請求項１又は２に記載の紙葉類の繰り出し装置。
【請求項４】
前記壁部は、前記送風部から吹き付けられる風が通り抜ける構造を有することを特徴とする請求項１〜３のいずれか一項に記載の紙葉類の繰り出し装置。
【発明の詳細な説明】
【技術分野】
【０００１】
本発明は、紙葉類の繰り出し装置に関する。
【背景技術】
【０００２】
還流型ＡＴＭ（現金自動預け払い機：Automated Teller Machine）は、顧客が入金した紙幣を装置内部に格納しておき、別の顧客からの要求があった場合に、要求に応じて払い出し処理を実行する。
【０００３】
このような還流型ＡＴＭにおいては、入金時には紙幣を一時的に積載ユニットに貯留しておき、そこから１枚ずつ繰り出して、紙幣種別ごとに分別（鑑別）し、金庫ユニットに格納する（例えば、特許文献１等参照）。
【先行技術文献】
【特許文献】
【０００４】
【特許文献１】特開２００２−１９９８５号公報
【発明の概要】
【発明が解決しようとする課題】
【０００５】
繰り出し動作時に紙幣を１枚ずつ繰り出すためには、積載ユニットに貯留された複数の紙幣の端部（繰り出し方向前側の端部）が揃っていることが好ましい。しかしながら、海外紙幣のように紙幣種によってサイズが大きく異なる場合等においては、サイズによって紙幣の端部を揃えるための機構が機能しない場合がある。例えば、端部を揃えるための機構が紙幣を引き寄せる構造を有する場合に、紙幣を引き寄せる構造がサイズの小さい紙幣に届かない場合などである。このように紙幣の端部が揃っていない場合には、紙幣の繰り出し時に、ミスフィード（複数枚繰り出し）やペーパージャム（詰まり）などの繰り出しミスが発生するおそれがある。
【０００６】
１つの側面では、本発明は、紙葉類の繰り出しミスの発生を抑制することが可能な紙葉類の繰り出し装置を提供することを目的とする。
【課題を解決するための手段】
【０００７】
一つの態様では、紙葉類の繰り出し装置は、搬送部により所定位置まで搬送され、該所定位置から落下してきた紙葉類に対して、水平面内の一軸方向の風を吹き付け、該紙葉類にフラッタ振動を生じさせることで、該紙葉類を前記一軸方向に沿って移動させる送風部と、前記所定位置から落下してきた前記紙葉類を引き寄せる引き寄せ部と、前記引き寄せ部により引き寄せられた前記紙葉類の前記一軸方向の一端部が突き当てられる壁部と、前記壁部に突き当てられた前記紙葉類を一枚ずつ繰り出す繰り出し部と、を備えている。
【発明の効果】
【０００８】
紙葉類の繰り出しミスの発生を抑制することができる。
【図面の簡単な説明】
【０００９】
【図１】一実施形態に係るＡＴＭの構成を概略的に示す図である。
【図２】図１のＡＴＭの制御系を示すブロック図である。
【図３】図１の繰り出し装置を拡大して示す図である。
【図４】ピックローラ、フィードローラ、セパレートローラを取り出して示す斜視図である。
【図５】ＡＴＭの利用者（顧客）から投入される紙幣を、鑑別部に向けて繰り出し装置が搬出するまでの処理を示すフローチャートである。
【図６】送風部による作用を説明するための図である。
【図７】図７（ａ）、図７（ｂ）は、送風部を設けない場合（券種により紙幣の幅の差が小さい場合）の例を説明するための図である。
【図８】図８（ａ）、図８（ｂ）は、送風部を設けない場合（券種により紙幣の幅の差が大きい場合）の例を説明するための図である。
【図９】送風部の作用により、紙幣の＋Ｙ端部が揃った状態を示す図である。
【図１０】送風部の風速の連続可変制御を説明するためのグラフである。
【発明を実施するための形態】
【００１０】
以下、ＡＴＭ（現金自動預け払い機：Automated Teller Machine）の一実施形態について、図１〜図１０に基づいて詳細に説明する。
【００１１】
図１には、一実施形態に係るＡＴＭ１００の構成が概略的に示されている。ＡＴＭ１００は、いわゆる還流型ＡＴＭであり、顧客が入金した紙幣を装置内部に格納しておき、別の顧客からの要求があった場合に、当該要求に応じて装置内部に格納しておいた紙幣を用いて払い出し処理を実行する装置である。
【００１２】
ＡＴＭ１００は、図１に示すように、筐体１０と、筐体１０内に設けられた、搬送部としての紙幣搬送ベルト１２と、繰り出し装置１４と、鑑別部１６と、金種振分部１８と、紙幣種別金庫２０Ａ〜２０Ｃと、紙幣搬送機構２２と、を備える。また、ＡＴＭ１００の筐体１０内には、制御部３０及び電源部３２等が設けられている。なお、本実施形態では、図１の紙面に直交する方向をＸ軸方向、紙面内左右方向をＹ軸方向、紙面内上下方向をＺ軸方向と定義して説明する。また、図２には、ＡＴＭ１００の制御系がブロック図にて示されている。
【００１３】
筐体１０の前面側（＋Ｙ側）には、紙幣投入口１０ａが設けられている。紙幣投入口１０ａには、開閉扉１１が設けられている。この開閉扉１１は、制御部３０の制御の下、図２の紙幣投入口開閉駆動モータ５２により開閉駆動される。なお、制御部３０は、開閉扉１１の開閉状態を筐体１０の紙幣投入口１０ａ近傍に設けられたセンサＳ１を用いて検出する。なお、センサＳ１は、開閉扉１１の開閉（全開か全閉か）を検出可能なセンサであればよく、例えば光センサや接触式のセンサ、画像センサ等を採用することができる。また、制御部３０は、開閉扉１１の閉動作を紙幣投入口１０ａ近傍に設けられたセンサＳ２の検出結果に基づいて制御する。なお、センサＳ２は、紙幣が紙幣投入口１０ａに投入されたことを検知可能なセンサであればよく、例えば、光センサや接触式のセンサ、画像センサ等を採用することができる。
【００１４】
紙幣搬送ベルト１２は、例えば、図１の反時計回り方向への回転動作により、紙幣投入口１０ａに投入された紙幣を所定の一軸方向（Ｙ軸方向、より詳細には＋Ｙ方向から−Ｙ方向）に搬送する。紙幣搬送ベルト１２は、制御部３０の制御の下、紙幣搬送ベルト駆動モータ５４により駆動される。なお、制御部３０は、センサＳ１の検出結果（開閉扉１１が開状態から閉状態になったことを示す検出結果）に基づいて、紙幣搬送ベルト駆動モータ５４の駆動を開始する。また、制御部３０は、後述するセンサＳ３の検出結果に基づいて、紙幣搬送ベルト駆動モータ５４の駆動を停止する。
【００１５】
繰り出し装置１４は、紙幣搬送ベルト１２上を搬送されてきた紙幣を貯留する積載ユニットとしての機能を有するとともに、紙幣を１枚ずつ繰り出し、鑑別部１６に対して搬出する機能を有する。なお、繰り出し装置１４の具体的な構成等については後述する。
【００１６】
繰り出し装置１４の近傍（上流側）には、センサＳ３が設けられている。センサＳ３は、紙幣搬送ベルト１２により紙幣が搬送されてきているか否かを検出可能なセンサであればよく、例えば、光センサや画像センサ等を採用することができる。また、繰り出し装置１４の＋Ｙ側（下流側）には、センサＳ４が設けられている。センサＳ４は、繰り出し装置１４から紙幣が繰り出されているか否かを検出可能なセンサであればよく、例えば、光センサや画像センサ等を採用することができる。なお、センサＳ３、Ｓ４の検出結果は、制御部３０に送信される。
【００１７】
鑑別部１６は、繰り出し装置１４から搬出された紙幣それぞれの鑑別を行い、鑑別結果を制御部３０に送信する。制御部３０は、鑑別結果に基づいて、金種振分部１８を制御し、鑑別部１６を経た紙幣を紙幣種別金庫２０Ａ〜２０Ｃのいずれかに振り分ける。これにより、紙幣種別金庫２０Ａ〜２０Ｃそれぞれには、額面が共通する紙幣が格納される。なお、図１では、紙幣種別金庫が３つ図示されているが、紙幣種別金庫の個数は、紙幣の券種数に合わせて４つ以上であってもよいし、２つ以下であってもよい。
【００１８】
紙幣搬送機構２２は、顧客からの払い出しの要求があった場合に、制御部３０の制御の下、紙幣種別金庫２０Ａ〜２０Ｃから搬出された紙幣を紙幣搬送ベルト１２上に供給する。紙幣搬送機構２２は、図２の紙幣搬送機構駆動モータ６２により駆動される。なお、制御部３０は、紙幣搬送機構２２の駆動タイミングに合わせて、紙幣搬送ベルト１２を、例えば、図１の時計回り方向に回転動作させる。これにより、紙幣は、紙幣投入口１０ａまで搬送されることになる。
【００１９】
次に、図３、図４等に基づいて、繰り出し装置１４の具体的な構成等について説明する。
【００２０】
図３は、繰り出し装置１４を模式的に示す図である。繰り出し装置１４は、図３に示すように、壁部としての前壁８２、後壁８４、上壁８１、底壁８３に囲まれた空間８５を有する。この空間８５には、紙幣搬送ベルト１２により搬送されてきた紙幣が集積（貯留）される。また、繰り出し装置１４は、ゴム羽根車７０と、ピックローラ７２と、フィードローラ７４と、セパレートローラ７６と、押さえ板８６と、送風部９０と、を備える。なお、図４は、ピックローラ７２、フィードローラ７４、セパレートローラ７６を取り出して示す斜視図である。
【００２１】
前壁８２及び後壁８４は、網状の素材（例えば金網）を用いて形成された壁である。前壁８２には、ゴム羽根車７０と機械的に干渉しないようにスリット等が設けられている。後壁８４の−Ｙ側には、送風部９０が設けられている。なお、前述のように、後壁８４と前壁８２を網状の素材を用いて形成していることから、送風部９０から吹き出される風は、空間８５内を通り抜けるようになっている。
【００２２】
ゴム羽根車７０は、図４においては不図示であるが、図３の紙面鉛直方向に沿って複数（例えば４つ）設けられている。ゴム羽根車７０は、図３のＸ軸方向を軸として回転する軸部材と、軸部材に放射状に取り付けられた複数（図３では、８つ）のゴム羽根と、を有する。ゴム羽根車７０は、制御部３０の制御の下、ゴム羽根車駆動モータ５６を介して、軸部材の軸を中心に反時計回りに回転する。ゴム羽根車７０は、このような回転動作により、図３の矢印Ａに沿って搬送されてきた紙幣を空間８５内の所定位置（符号２００Ａ参照）付近まで移動させる機能を有している。また、ゴム羽根車７０は、所定位置（２００Ａ）から−Ｚ方向に落下する紙幣を叩き落すとともに、叩き落した紙幣を前壁８２側へ引き寄せる機能を有している。なお、このゴム羽根車７０により引き寄せられた紙幣の端部は前壁８２の−Ｙ側面に突き当てられるため、引き寄せられた紙幣それぞれの端部は揃うようになっている。なお、本実施形態では、紙幣搬送ベルト１２と、ゴム羽根車７０とを含んで、紙幣を所定位置２００Ａまで搬送する搬送部の機能が実現されている。
【００２３】
ピックローラ７２は、空間８５内に集積（貯留）された紙幣を鑑別部１６側に繰り出すためのローラである。本実施形態では、ピックローラ７２は、図４に示すように、Ｘ軸方向に所定間隔をあけて２つ設けられている。ピックローラ７２は、制御部３０の制御の下、図２に示す紙幣繰り出しローラ駆動モータ５８を介して、図３の時計回り方向に回転する。なお、紙幣は、Ｘ軸方向を長手方向、Ｙ軸方向を短手方向として空間８５内に貯留されるため、ピックローラ７２は、紙幣を短手方向に繰り出すことになる。
【００２４】
フィードローラ７４は、ピックローラ７２により繰り出された紙幣を鑑別部１６に向けて搬送するローラである。フィードローラ７４は、本実施形態では、図４に示すように、Ｘ軸方向に所定間隔をあけて５つ設けられている。なお、ピックローラ７２とフィードローラ７４には、紙幣に対して一時的に搬送力を加えるための高摩擦部（例えばゴム部）が設けられ、残余の部分は低摩擦部とされている。ピックローラ７２とフィードローラ７４とはベルト等により連結されている。これにより、フィードローラ７４は、ピックローラ７２の回転（紙幣繰り出しローラ駆動モータ５８の回転）と同期して、図３の時計回り方向に回転する。
【００２５】
セパレートローラ７６は、紙幣の多重繰り出し（下から１枚目の紙幣を繰り出す際に発生する、下から２枚目より上側の紙幣の連れ出し）を防止するためのローラである。セパレートローラ７６は、本実施形態では、図４に示すように、Ｘ軸方向に所定間隔をあけて４つ設けられている。セパレートローラ７６の下端部の高さ（Ｚ位置）は、フィードローラ７４の上端部よりも低い位置に設定されているため、セパレートローラ７６とフィードローラ７４は、上下方向（Ｚ軸方向）に関して、オーバーラップ配置されているといえる。なお、図３では不図示であるが、図４に示すように、セパレートローラ７６の−Ｙ側には、樹脂製のビルスライダ６９が設けられている。また、図４に示すように、５つのフィードローラ７４のうちの中央に位置するフィードローラの上側には、ゴム製の加圧ローラ６７が設けられている。なお、本実施形態では、ピックローラ７２、フィードローラ７４、セパレートローラ７６を含んで、紙幣を１枚ずつ繰り出すための繰り出し部として機能する。
【００２６】
図３に戻り、押さえ板８６は、紙幣投入口１０ａから投入された紙幣が全て空間８５内に集積（貯留）された後に、図２の押さえ板駆動部６４により、下方（−Ｚ方向）に駆動される。これにより、押さえ板８６が空間８５内に集積（貯留）された紙幣を上から加圧することができる。
【００２７】
送風部９０は、例えばクロスフローファンであり、図２の送風ファン駆動モータ６０の回転力を利用して、後壁８４の裏側（−Ｙ側）から空間８５内に向けてＹ軸方向に沿った方向の風を吹き付ける。送風ファン駆動モータ６０の動作（クロスフローファンの風速）は、制御部３０が制御する。なお、送風ファン駆動モータ６０の具体的な制御方法については、後述する。
【００２８】
次に、ＡＴＭ１００の利用者（顧客）から投入される紙幣を、鑑別部１６に向けて繰り出し装置１４が搬出するまでの処理について、図５のフローチャートに沿ってその他図面を適宜参照しつつ詳細に説明する。
【００２９】
図５の処理が実行される前提として、ＡＴＭ１００の利用者（顧客）が、不図示の入力部を介して入金する旨の指示を入力したものとする。
【００３０】
図５の処理では、まず、ステップＳ１０において、制御部３０が、紙幣投入口開閉駆動モータ５２を駆動することで、開閉扉１１（紙幣投入口１０ａ）を開状態にする。
【００３１】
次いで、ステップＳ１２では、制御部３０が、センサＳ１がＯＮ（すなわち、開閉扉１１が全開）となるまで待機する。制御部３０は、開閉扉１１が全開になった段階で、ステップＳ１４に移行する。
【００３２】
ステップＳ１４に移行すると、制御部３０は、送風ファン駆動モータ６０の回転駆動を開始する。すなわち、制御部３０は、送風部９０からの風の吹き出しを開始する。次いで、ステップＳ１６では、制御部３０が、センサＳ２がＯＮになるまで、すなわち、紙幣投入口１０ａに紙幣が投入されるまで待機する。利用者により紙幣が紙幣投入口１０ａに投入されると、制御部３０は、ステップＳ１８に移行する。
【００３３】
ステップＳ１８に移行すると、制御部３０は、数秒待った後、紙幣投入口開閉駆動モータ５２を駆動する。これにより、開閉扉１１（紙幣投入口１０ａ）は開状態から閉状態に遷移する。次いで、ステップＳ２０では、制御部３０が、センサＳ１がＯＦＦとなるまで、すなわち、開閉扉１１が全閉となるまで待機する。制御部３０は、開閉扉１１が全閉となった段階で、ステップＳ２２に移行する。
【００３４】
ステップＳ２２に移行すると、制御部３０は、紙幣搬送ベルト駆動モータ５４、及びゴム羽根車駆動モータ５６の回転を開始する。次いで、ステップＳ２４では、制御部３０が、センサＳ３が規定時間以上紙幣を検出しなくなるまで待機する。すなわち、紙幣搬送ベルト１２側から紙幣が送られて来なくなるまで待機する。
【００３５】
ところで、制御部３０は、送風部９０からの風が紙幣にフラッタを発生させるように風速を可変制御することで、図６に示すように紙幣をばたつかせて、捌き効果を与えながら前壁８２の方向に移動させる。
【００３６】
ここで、紙幣の短手方向（Ｙ軸方向）の幅が券種によって然程異ならない場合（例えば日本の紙幣の場合）には、図７（ａ）に示すように送風部９０を設けなくても、ゴム羽根車７０が回転することにより、各紙幣の叩き落しと、前壁８２方向への引き込みが可能である。紙幣の短手方向の幅が異ならないため、幅が最も小さい紙幣でもゴム羽根車７０のゴム羽根が紙幣に届くからである。このように、券種にかかわらずゴム羽根車７０が紙幣を引き込むことにより、図７（ｂ）に示すように各紙幣の＋Ｙ側端部を揃えることができる。一方、例えばユーロ紙幣のように、券種によって短手方向（Ｙ軸方向）の幅が大きく異なる場合（ユーロ紙幣の場合、６２〜８２ｍｍ）には、図８（ａ）に示すように短手方向の幅が小さいとゴム羽根車７０が紙幣に届かない場合があり、紙幣は後壁８４に当って、自由落下することがある。この場合、図８（ｂ）に示すように、紙幣の＋Ｙ側端部が揃わなくなるおそれがある。
【００３７】
これに対し、本実施形態では、上述したように、後壁８４側から前壁８２側に向けて風を送る送風部９０を設け、制御部３０が、送風部９０からの風が紙幣にフラッタを発生させるように風速を可変制御する。したがって、図９に示すように、空間８５に貯留される紙幣の短手方向の幅が券種によって大きく異なる場合であっても、ゴム羽根車７０が紙幣を引き込むことができるようになる。これにより、各紙幣の＋Ｙ端部を揃えることが可能になる。
【００３８】
ここで、紙幣にフラッタを発生させるような風速は、紙幣の質量、剛性、減衰性等から計算できるが、紙幣の剛性は、流通券と官封券とで異なる。このため、流通券で最も剛性が小さいものと、官封券（最も剛性が大きい紙幣）とを用いて実際にフラッタが発生する風速を求める実験をすることにより、風速の範囲を決定するのが好ましい。
【００３９】
より具体的には、ゴム羽根車７０のゴム羽根の先端が届かない、短手方向の幅が狭い紙幣（複数種類あれば複数（ｎ）種類の紙幣）のサンプルのうち、最も重い券種で、かつ最もやわらかい流通紙幣においてフラッタが生じる風速を実験で求める。また、サンプルのうち、最も軽い券種で、かつ最も硬い官封券においてフラッタが生じる風速を実験で求める。そして、制御部３０は、求められた風速（２つの値）を最小流速ｖ0、最大流速ｖ1として、図１０に示すように、周期３ｔ1にて周期的に連続可変制御する。なお、ｔ1の長さは、一度に入金できる紙幣の枚数（最大入金枚数Ｍａ）と、空間８５内から１秒間に繰り出される紙幣枚数（Ｍｂ）によって次式（１）のように定義する。
ｔ1＝Ｍａ／（Ｍｂ／（１／ｎ））      …（１）
【００４０】
なお、上式（１）は、実験又は経験により得られた、紙幣にフラッタが発生して移動するために必要な時間を考慮したものである。
【００４１】
上式（１）で表されるｔ1を採用することで、最大入金枚数Ｍａが５０、繰り出し速度Ｍｂが６枚／秒、ゴム羽根車７０のゴム羽根の先端が届かない券種数ｎが３であった場合には、ｔ1は、およそ２．７秒となる。このように、制御部３０が送風部９０を図１０のように連続可変制御することで、あらゆる剛性の紙幣を前壁８２側に移動させることが可能となる。
【００４２】
図５に戻り、ステップＳ２４の判断が肯定された場合、すなわち、紙幣投入口１０ａに投入された紙幣が全て空間８５内に貯留された場合には、ステップＳ２６に移行する。ステップＳ２６に移行すると、制御部３０は、紙幣搬送ベルト駆動モータ５４の動作を停止させる。次いで、ステップＳ２８では、制御部３０が、規定時間後、送風ファン駆動モータ６０を停止させる。なお、規定時間とは、一例として、前述した１周期＝３ｔ1であるものとする。次いで、ステップＳ３０では、制御部３０が、ゴム羽根車駆動モータ５６を停止させる。なお、ステップＳ２６〜Ｓ３０の処理は同時に行われてもよいし、順不同であってもよい。
【００４３】
次いで、ステップＳ３２では、制御部３０が、紙幣繰り出しローラ駆動モータ５８の回転駆動を開始する。これにより、ピックローラ７２及びフィードローラ７４が回転されるので、空間８５内に貯留された紙幣が下から１枚ずつ鑑別部１６へ搬送される。ここで、空間８５内に貯留された紙幣は、券種にかかわらず、＋Ｙ側の端部が揃った状態となっているので、紙幣の多重繰り出しや、ペーパージャムの発生を極力抑制することができる。
【００４４】
次いで、ステップＳ３４では、制御部３０が、センサＳ４が規定時間以上紙幣を検出しなくなるまで待機する。すなわち、制御部３０は、空間８５内の紙幣の全てが鑑別部１６に搬送されるまで待機する。この場合、制御部３０は、センサＳ４が規定時間以上紙幣を検出しなくなった段階で、ステップＳ３６に移行する。
【００４５】
ステップＳ３６に移行すると、制御部３０は、紙幣繰り出しローラ駆動モータ５８の駆動を停止する。これにより、図５の処理が終了する。なお、図５の処理が終了した後は、金種振分部１８や紙幣種別金庫２０Ａ〜２０Ｃ、紙幣搬送機構２２において処理が行われるが、これら各部の処理は、従来と同様であるので、説明を省略する。
【００４６】
以上、詳細に説明したように、本実施形態によると、繰り出し装置１４は、紙幣搬送ベルト１２及びゴム羽根車７０により所定位置（２００Ａ）まで搬送され、所定位置（２００Ａ）から落下してきた紙幣に対して、Ｙ軸方向の風を吹き付け、紙幣にフラッタ振動を生じさせることで、紙幣をＹ軸方向に沿って移動させる送風部９０と、所定位置（２００Ａ）から落下してきた紙幣を引き寄せるゴム羽根車７０と、ゴム羽根車７０により引き寄せられた紙幣のＹ軸方向の一端部（＋Ｙ端部）が突き当てられる前壁８２と、前壁８２に突き当てられた紙幣を一枚ずつ繰り出すピックローラ７２と、を備えている。これにより、本実施形態では、紙幣のＹ軸方向に関する幅（短手方向の幅）の差が券種ごとに大きいため、所定位置２００Ａから自由落下する紙幣の中にゴム羽根車７０が引き寄せられない紙幣があったとしても、送風部９０からの風により、紙幣を＋Ｙ方向に移動させることができる。これにより、ゴム羽根車７０によって引き寄せることができない紙幣を極力なくすことができる。これにより、前壁８２への突き当てにより紙幣の＋Ｙ端部を揃えることができるため、ピックローラ７２による繰り出しの際に、多重繰り出しやペーパージャムが発生するのを抑制することが可能となる。
【００４７】
また、本実施形態では、制御部３０は、紙幣の剛性に基づいて、送風部９０から吹き付けられる風の速度を可変制御する。これにより、様々な剛性の紙幣がＡＴＭ１００内に投入される場合であっても、紙幣の剛性に基づいて紙幣にフラッタ振動が生じ易い範囲で風速を可変制御することができる。従って、紙幣を効果的に＋Ｙ方向に移動させることが可能となる。
【００４８】
また、本実施形態では、前壁８２は、送風部９０から吹き付けられる風が通り抜ける構造（例えば網状の構造）を有しているので、送風部９０からの風により紙幣を＋Ｙ方向に効率的に移動させることができる。
【００４９】
また、本実施形態では、センサＳ３が紙幣を検出しなくなってから規定時間（例えば、３ｔ1）だけ、送風を継続するようにしている。これにより、空間８５内を自由落下している紙幣を確実に＋Ｙ方向に移動させることができる。なお、時間３ｔ1は、ＡＴＭ１００に投入された紙幣を処理する時間に比べて短い時間（最大で８秒程度）であるので、利用者のＡＴＭ処理待ち時間への影響はほとんどない。
【００５０】
なお、上記実施形態では、送風部９０のＸ軸方向に関する送風範囲を、ＡＴＭ１００内に投入される可能性のある種類の紙幣のうち長手方向（Ｘ軸方向）に関する幅の最大値と同一にすることができる。これにより、送風部９０からの風を効率的に紙幣に当てることができる。
【００５１】
なお、上記実施形態では、制御部３０は、図１０のような風速の可変制御を行う場合について説明したが、これに限られるものではない。例えば、風速が正弦波状に変化するように可変制御するようにしてもよいし、その他の可変制御を行うようにしてもよい。
【００５２】
また、上記実施形態では、紙幣搬送ベルト１２によって−Ｙ方向に搬送された紙幣が、繰り出し装置１４から＋Ｙ方向に繰り出される場合について説明したが、これに限られるものではない。例えば、ＡＴＭ１００は、紙幣搬送ベルト１２によって−Ｙ方向に搬送された紙幣が、繰り出し装置１４から−Ｙ方向に繰り出されるような構造を有していてもよい。この場合、図１の繰り出し装置１４を左右反転させたような繰り出し装置（送付部からの風が＋Ｙ方向から−Ｙ方向に吹きつけられる装置）をＡＴＭ１００内に設けるようにすればよい。
【００５３】
なお、上記実施形態では、紙葉類の繰り出し装置が、ＡＴＭ１００に適用された場合について説明したが、これに限らず、その他の紙葉類を処理する装置において、上記実施形態のような繰り出し装置１４を適用することとしてもよい。
【００５４】
上述した実施形態は本発明の好適な実施の例である。但し、これに限定されるものではなく、本発明の要旨を逸脱しない範囲内において種々変形実施可能である。
【００５５】
なお、以上の実施形態の説明に関して、更に以下の付記を開示する。
（付記１）  搬送部により所定位置まで搬送され、該所定位置から落下してきた紙葉類に対して、水平面内の一軸方向の風を吹き付け、該紙葉類にフラッタ振動を生じさせることで、該紙葉類を前記一軸方向に沿って移動させる送風部と、
前記所定位置から落下してきた前記紙葉類を引き寄せる引き寄せ部と、
前記引き寄せ部により引き寄せられた前記紙葉類の前記一軸方向の一端部が突き当てられる壁部と、
前記壁部に突き当てられた前記紙葉類を一枚ずつ繰り出す繰り出し部と、
を備える紙葉類の繰り出し装置。
（付記２）  前記紙葉類は、前記一軸方向に関する寸法が異なる複数種類の紙葉類を含むことを特徴とする付記１に記載の紙葉類の繰り出し装置。
（付記３）  前記紙葉類の剛性に関する値に基づいて、前記送風部から吹き付けられる風の速度を可変制御する制御部を更に備える付記１又は２に記載の紙葉類の繰り出し装置。
（付記４）  前記壁部は、前記送風部から吹き付けられる風が通り抜ける構造を有することを特徴とする付記１〜３のいずれかに記載の紙葉類の繰り出し装置。
（付記５）  前記所定位置から落下する可能性のある種類の紙葉類のうち、前記一軸方向に直交する他軸方向に関する幅の最大値と、前記送風部の前記他軸方向に関する送風範囲とが一致することを特徴とする付記１〜４のいずれかに記載の紙葉類の繰り出し装置。
【符号の説明】
【００５６】
１２  紙幣搬送ベルト（搬送部の一部）
１４  繰り出し装置
３０  制御部
７０  ゴム羽根車（引き寄せ部、搬送部の一部）
７２  ピックローラ（繰り出し部）
７４  フィードローラ（繰り出し部）
７６  セパレートローラ（繰り出し部）
８２  前壁（壁部）
９０  送風部
２００Ａ  所定位置
【図１】
2016124704.tif 000003
【図２】
2016124704.tif 000004
【図３】
2016124704.tif 000005
【図４】
2016124704.tif 000006
【図５】
2016124704.tif 000007
【図６】
2016124704.tif 000008
【図７】
2016124704.tif 000009
【図８】
2016124704.tif 000010
【図９】
2016124704.tif 000011
【図１０】
2016124704.tif 000012